(57)【特許請求の範囲】
【請求項１】
ケース上とケース下とを嵌合して形成されるケース内に電子回路を収容し、前記ケース上に電子表示手段が取り付けられ、前記ケース上の裏面には雨水の浸入を防ぐために帯状に形成された上側リブが周設された電子機器ユニットであって、
前記ケース上は、前記電子表示手段を収容するための凹部を表面に備えると共に、前記凹部内には前記電子表示手段と内部の前記電子回路とを接続する配線を挿通するための開口部が形成されてなり、
前記上側リブは、前記開口部の外側であって前記凹部の背面上を通過し、嵌合した前記ケース下の内面に接触或いは近接する高さを有することを特徴とする電子機器ユニット。
【請求項２】
前記上側リブに対応する前記ケース下の内面には、ケース内において前記上側リブの内側と外側の双方から対峙するように２重に配置された帯状の下側リブが形成されて成ることを特徴とする請求項１記載の電子機器ユニット。
【発明の詳細な説明】
【技術分野】
【０００１】
本発明は、液晶パネル等の電子表示手段を備えた電子機器ユニットに関し、特に防水機能を備えた電子機器ユニットに関する。
【背景技術】
【０００２】
従来から、ケースをケース上とケース下の２部材で構成し、ケース前面側となるケース上に液晶パネルを取り付けた電子機器ユニットがある。例えば、特許文献１に示すインターホンでは、本体ケース（ケース上）と裏側の本体シャーシ（ケース下）とでボックス型のケースを構成し、ケース上の裏面に液晶パネルを組み付けている。
【先行技術文献】
【特許文献】
【０００３】
【特許文献１】特開２００５−１１７４４５号公報
【発明の概要】
【発明が解決しようとする課題】
【０００４】
しかしながら、上記特許文献１のインターホンのようにケース上の裏面側から液晶パネルを取り付ける形態を、屋外で使用するような機器（例えば、インターホンの玄関子機）に適用する場合、雨水がケース内部に浸入しないように液晶パネル取付部は勿論のこと、ケース上とケース下の嵌合部にも、雨水の浸入を防止する構造を設けなければならない。
具体的に、ケース上とケース下の嵌合部に関しては、嵌合部から浸入した水が更にケース内へ浸入するのを防ぐために、壁となる帯状のリブをケース内部に周設しなければならない。そのため、リブを設けるための空間がケース上及びケース下の双方に必要となり、屋外で使用する構造にするには、室内仕様に比べて機器を大型にするか液晶パネルを小型にしなければならなかった。
【０００５】
そこで、本発明はこのような問題点に鑑み、液晶パネル等の電子表示手段をケース上に取り付ける構成であっても、ケースを大型化したり電子表示手段を小さくしなくてもケース上とケース下の境界から雨水が浸入するのを防止でき、屋外に設置できる電子機器ユニットを提供することを目的としている。
【課題を解決するための手段】
【０００６】
上記課題を解決する為に、請求項１の発明は、ケース上とケース下とを嵌合して形成されるケース内に電子回路を収容し、ケース上に電子表示手段が取り付けられ、ケース上の裏面には雨水の浸入を防ぐために帯状に形成された上側リブが周設された電子機器ユニットであって、ケース上は、電子表示手段を収容するための凹部を表面に備えると共に、凹部内には電子表示手段と内部の電子回路とを接続する配線を挿通するための開口部が形成されてなり、上側リブは、開口部の外側であって凹部の背面上を通過し、嵌合したケース下の内面に接触或いは近接する高さを有することを特徴とする。
この構成によれば、電子表示手段をケース上前面側から組み付けることで、ケース上とケース下の境目から雨水の浸入を防ぐための帯状のリブを、電子表示手段の背部となるケース上裏面に設けることができる。そのため、電子表示手段とケース上の側部との間にリブを配置する空間を設ける必要が無くなり、電子表示手段を小型化することなく、或いはケースを大型化することなく屋外対応とすることができる。
【０００７】
請求項２の発明は、請求項１に記載の構成において、上側リブに対応するケース下の内面には、ケース内において上側リブの内側と外側の双方から対峙するように２重に配置された帯状の下側リブが形成されて成ることを特徴とする。
この構成によれば、リブが３重に設けられるので、雨水の浸入を確実に防止することができる。
【発明の効果】
【０００９】
本発明によれば、電子表示手段をケース上前面側から組み付けることで、ケース上とケース下の境目から雨水の浸入を防ぐための帯状のリブを、電子表示手段の背部となるケース上裏面に設けることができる。そのため、電子表示手段とケース上の側部との間にリブを配置する空間を設ける必要が無くなり、電子表示手段を小型化することなく、或いはケースを大型化することなく屋外対応とすることができる。
【図面の簡単な説明】
【００１０】
【図１】本発明に係る電子機器ユニットの一例を示すケース上の斜視図である。
【図２】図１のケース上を背面から見た斜視図である。
【図３】ケースに化粧パネルを取り付けた電子機器ユニットの斜視図である。
【図４】図３の電子機器ユニットを背面側から見た斜視図である。
【図５】液晶パネル装着部の分解斜視図である。
【図６】ケース上の液晶パネル取付部の部拡大図である。
【図７】液晶パネルを取り付けたケース上の部分拡大図である。
【図８】図１の液晶表示部の横断面図である。
【図９】図８のＡ部拡大図である。
【図１０】図８のＢ部拡大図である。
【図１１】液晶パネル前面に取り付けるパッキン等を分離し、ケース下を省略した図８に対応する液晶表示部の横断面図である。
【発明を実施するための形態】
【００１１】
以下、本発明を具体化した実施の形態を、図面に基づいて詳細に説明する。図１〜図４は、本発明に係る電子機器ユニットの一例を示す斜視図であり、図１は主要部材を組み付けたケース上の斜視図、図２はケース上を背面側から見た斜視図、図３は化粧パネルを取り付けて実際に施工する状態の電子機器ユニットの斜視図、図４は図３を後方から見た斜視図を示している。各図において、１はケース、２は化粧パネルであり、ここで示している電子機器ユニットは、玄関等の屋外に設置されて居住者を呼び出して通話するためインターホン機器を一例として示している。そのため、前面にはカメラ３、マイク部４、スピーカ部５、操作部６、液晶表示部７、呼出ボタン８等が設けられている。
【００１２】
ケース１は、操作部６や液晶表示部７等を備えた前面側を構成するケース上１ａと、ケース背部を構成するケース下１ｂとの２部材で構成され、双方を嵌合することで回路基板等を収容するための収容空間を内部に形成している。そして、液晶表示部７は、ケース上１ａの略中央に配置され、この液晶表示部７に後述する液晶パネル１０が組み付けられている。
【００１３】
以下、液晶パネル１０の取付構造を中心に説明する。図５は、液晶パネル１０をケース１に組み付ける様子を示すインターホン機器の分解斜視図の一部を示し、図６は図５のケース上１ａを拡大した図を示している。図５において、１１はケース上１ａとケース下１ｂとで形成されるケース１内に組み付けられる回路基板、１２は液晶パネル１０をケース上１ａに固定するための固定フレーム、１３は液晶パネル１０周囲を密閉するためのパッキン、１４は液晶パネル１０を保護するパネルカバーである。
【００１４】
図６に示すように、ケース上１ａには表面側に液晶パネル１０を取り付けるための矩形の凹部１６が形成され、その底部１６ａには更に液晶パネル１０と内部電子回路である回路基板１１とを接続するための配線挿通口１７が開口形成されている。そして、底部１６ａの左右端部には、液晶パネル１０をケース上１ａに固定するためのねじ孔１８が２箇所ずつ設けられている。
【００１５】
液晶パネル１０は、四角形板状を成し、左右端部にねじによりケース上１ａに固定するためのねじ挿通孔１０ａが設けられている。
固定フレーム１２は、液晶パネル１０の周囲に係合する合成樹脂製の四角形枠体であり、左右端部に夫々一対の爪片２０が後方に突設されている。そして、凹部１６に合致する形状で形成されている。尚、対応するケース上１ａ凹部１６の４隅にはこの爪片２０を挿入して係止する係止孔２１が設けられている。
【００１６】
パッキン１３は、発泡樹脂、ゴム、或いは軟質樹脂で形成された枠片であり、固定フレーム１２に重なる形状であって、固定フレーム１２より僅かに大きい外形を有して形成されている。
【００１７】
またパネルカバー１４は、透明の合成樹脂で形成された板体であり、液晶パネル１０を保護するための中央窓部１４ａと、パッキン１３を圧接する周囲枠部１４ｂと、周囲枠部１４ｂから延設して上下の４箇所に設けたケース上１ａにネジ止めするためのねじ挿通孔１４ｃとで構成されている。尚、対応するケース上１ａの凹部１６周辺には、ねじ孔２２が形成されている。
【００１８】
これら各部材は、図５に示すように液晶パネル１０、固定フレーム１２、パッキン１３、パネルカバー１４の順にケース上１ａの凹部１６を中心に組み付けられる。具体的に、液晶パネル１０は凹部１６に収容され、４箇所ねじ止めされて組み付けられる。図７は、こうして液晶パネル１０をネジ止めした状態を示している。
固定フレーム１２は、左右夫々２箇所に設けられている爪片２０をケース上１ａの係止孔２１に挿入して係止させる。この固定フレーム１２は、液晶パネル１０を覆い、液晶パネル１０周囲と凹部１６の隙間が埋められる。その上からパッキン１３を配置し、パッキン１３の上にパネルカバー１４を配置してねじ止めする。
こうして液晶パネル１０はケース上１ａに組み付けられ、液晶パネル１０の取り付けは完了となる。その後は、後述するようにケース下１ｂと嵌合して一体化することでケース１の組み立ては完了する。
【００１９】
次に、ケース上１ａとケース下１ｂの嵌合構造について説明する。図２に示すように、ケース上１ａの裏面には、ケース１の側面を構成する枠部２３に沿って帯状のリブ（以下、「上側リブ」とする）２５が形成されている。この上側リブ２５は、ケース下１ｂと嵌合したときにケース１内部に雨水の浸入を防止するよう、下方の一部を除き枠部２３に沿うように周設されている。この上側リブ２５は、ケース上１ａとケース下１ｂとを嵌合した際に、ケース下１ｂの内底部に接触或いは近接して雨水の浸入を防ぐよう構成されている。
【００２０】
一方、ケース下１ｂの内面には上側リブ２５に対応する帯状のリブ（以下、「下側リブ」とする）２６が形成されている。具体的に図８、図９に基づいて説明する。図８は、液晶パネル１０を組み付けたケース上１ａに、ケース下１ｂを嵌合した状態の断面説明図であり、液晶パネル１０取付部の断面を示している。また、図９はこの断面図のＡ部を拡大した図を示している。
図９に示すように、上側リブ２５は凹部１６の背面上を通過するように設けられている。そして、ケース下１ｂには、上側リブ２５をケース１の内側と外側の双方において対峙するように配置して２重に形成した下側リブ２６（２６ａ，２６ｂ）が設けられている。この下側リブ２６も、上側リブ２５と同様に下方の一部を除きケース下１ｂ内面に周設されている。
尚、図２において、２４はケース下１ｂをねじ止めするネジ止め部であり、嵌合されたケース上１ａとケース下１ｂとは、ネジ止め部２４でねじ止めされて嵌合状態が維持される。
【００２１】
図１０は図８のＢ部の拡大図を示し、液晶パネル１０周囲の防水構造を示している。また、図１１は、液晶パネル１０の前面に取り付けるパッキン１３等を分離し、ケース下１ｂを省略した図１の液晶表示部の横断面図を示している。
図１０において、１３ａは圧縮前のパッキン１３の断面を示している。この図１０に示すように、固定フレーム１２とパネルカバー１４の間で圧縮されたパッキン１３により、固定フレーム１２とケース上１ａの境界部が密閉され、液晶パネル１０周囲の気密性が維持される。
【００２２】
このように、液晶パネル１０をケース上１ａの前面側から組み付けることで、雨水の浸入を防ぐための帯状の上側リブ２５を液晶パネル１０の背部となるケース上１ａ裏面に設けることができる。そのため、液晶パネル１０とケース上１ａの側部である枠部２３との間に帯状リブを配置する空間を設ける必要が無くなり、液晶パネル１０を小型化することなく、或いはケースを大型化すること無く屋外対応とすることができる。
また、上側リブ２５に加えてケース下１ｂには２重のリブが設けられて、全体で３重のリブが設けられるので、雨水の浸入を確実に防止することができる。
更に、パッキン１３により容易に且つ確実に隙間を閉塞できるので、液晶パネル１０をケース１の表側から組み付けても、液晶パネル１０の周囲に発生するケース１との境界を良好に且つ容易に防水構造にできる。
【００２３】
尚、上記実施形態は、液晶パネルを例に説明したが、板状の電子表示手段に対して好適であり、例えばプラズマディスプレイパネル、エレクトロルミネセンスパネル、発光ダイオードパネル等の電子表示手段に対しても適用できる。
また、パネル上１ａに１つの帯状リブを設け、パネル下１ｂに２重の帯状リブを設けているが、逆であっても良い。
【産業上の利用可能性】
【００２４】
上記実施形態では、屋外に設置するインターホン機器について説明したが、本発明の構造は、液晶パネル等の電子表示手段を備えた屋外に設置する電子機器ユニットに対して好適であるし、屋外でなくとも防水機能を必要とする浴室や厨房等において使用するモニタ機器等にも好適である。
【符号の説明】
【００２５】
１・・ケース、１ａ・・ケース上、１ｂ・・ケース下、７・・液晶表示部、１０・・液晶パネル（電子表示手段）、１１・・回路基板、１２・・固定フレーム（枠状フレーム体）、１３・・パッキン、１４・・パネルカバー（カバー体）、１６・・凹部、２５・・上側リブ、２６・・下側リブ。
【図１】
0005490586.tif 000002
【図２】
0005490586.tif 000003
【図３】
0005490586.tif 000004
【図４】
0005490586.tif 000005
【図５】
0005490586.tif 000006
【図６】
0005490586.tif 000007
【図７】
0005490586.tif 000008
【図８】
0005490586.tif 000009
【図９】
0005490586.tif 000010
【図１０】
0005490586.tif 000011
【図１１】
0005490586.tif 000012